(57)【要約】【課題】コンテンツの推薦の際、より確実に緊急情報を提供することができる情報提供装置、端末装置、情報提供システム、情報提供方法、およびプログラムを提供する。【解決手段】情報取得部はコンテンツごとの属性を示すコンテンツ情報を取得し、通知情報生成部はコンテンツ情報を参照して、提供可能とする推薦コンテンツを通知するコンテンツ通知情報を生成し、出力制御部はコンテンツ通知情報の出力を制御し、情報取得部が緊急情報を取得するとき、出力制御部は、緊急情報を通知する緊急通知情報を前記コンテンツ通知情報よりも優先して出力する。【選択図】図２
2020202468.tif 000002
【特許請求の範囲】
【請求項１】
コンテンツごとの属性を示すコンテンツ情報を取得する情報取得部と、
前記コンテンツ情報を参照して、提供可能とする推薦コンテンツを通知するコンテンツ通知情報を生成する通知情報生成部と、
前記コンテンツ通知情報の出力を制御する出力制御部と、を備え、
前記情報取得部が緊急情報を取得するとき、
前記出力制御部は、前記緊急情報を通知する緊急通知情報を前記コンテンツ通知情報よりも優先して出力する
電子機器。
【請求項２】
前記通知情報生成部は、
前記緊急通知情報に、前記緊急情報に付加された緊急レベルが高いほど、顕著な表示態様を示す付加情報を付加する
請求項１に記載の電子機器。
【請求項３】
提供可能とする推薦コンテンツを通知するコンテンツ通知情報を取得する通知情報取得部と、
前記コンテンツ通知情報に基づき前記推薦コンテンツの通知を制御する出力制御部と、を備え、
前記通知情報取得部が緊急情報を通知する緊急通知情報を取得するとき、
前記出力制御部は、前記推薦コンテンツの通知よりも優先して前記緊急情報を出力する
電子機器。
【請求項４】
前記緊急情報に付加された緊急レベルが所定のレベル以上であって、前記出力制御部の動作が停止しているとき、前記出力制御部を起動させる起動制御部を備える
請求項３に記載の電子機器。
【請求項５】
前記緊急情報に付加された緊急レベルが所定のレベル以上であるとき、前記出力制御部は、再生部に警報音を出力させる
請求項３または請求項４に記載の電子機器。
【請求項６】
前記出力制御部は、
前記緊急情報に付加された緊急レベルが高いほど、顕著な表示態様で前記緊急情報を表示部に表示させる
請求項３から請求項５のいずれか一項に記載の電子機器。
【請求項７】
前記表示態様は、前記緊急レベルが高いほど、前記緊急情報の表示領域が大きい
請求項２または請求項６に記載の電子機器。
【請求項８】
前記表示態様は、前記緊急レベルが高いほど、前記緊急情報を示す文字が大きい
請求項２、請求項６および請求項７のいずれか一項に記載の電子機器。
【請求項９】
前記緊急レベルの数は少なくとも３段階であり、
前記緊急レベルが第１レベルまたは前記第１レベルよりも高い第２レベルであるとき、少なくとも１つの前記推薦コンテンツが通知され、
前記緊急レベルが前記第２レベルであるとき、提供可能とするコンテンツのうち前記緊急情報に関連する関連コンテンツの通知が優先され、
前記緊急レベルが前記第２レベルよりも高い第３レベル以上であるとき、前記推薦コンテンツが通知されない
請求項２、および請求項６から請求項８のいずれか一項に記載の電子機器。
【請求項１０】
前記緊急レベルが前記第３レベル以上であるとき、前記緊急情報に、前記緊急情報の詳細を示す詳細情報の提供元を示す詳細情報提供情報が含まれる
請求項９に記載の電子機器。
【請求項１１】
情報提供装置と端末装置を備える情報提供システムであって、
前記情報提供装置は、
コンテンツごとの属性を示すコンテンツ情報を取得する情報取得部と、
前記コンテンツ情報を参照して、提供可能とする推薦コンテンツを通知するコンテンツ通知情報を生成する通知情報生成部と、
前記コンテンツ通知情報の出力を制御する出力制御部と、を備え、
前記情報取得部が緊急情報を取得するとき、
前記出力制御部は、前記緊急情報を通知する緊急通知情報を前記コンテンツ通知情報よりも優先して出力する
前記端末装置は、
前記コンテンツ通知情報を取得する通知情報取得部と、
前記コンテンツ通知情報に基づき前記推薦コンテンツの通知を制御する端末出力制御部と、を備え、
前記通知情報取得部が緊急情報を通知する緊急通知情報を取得するとき、
前記端末出力制御部は、前記推薦コンテンツの通知よりも優先して前記緊急情報を出力する
情報提供システム。
【請求項１２】
電子機器における情報提供方法であって、
前記電子機器が、提供可能とする推薦コンテンツを通知するコンテンツ通知情報を取得する第１ステップと、
前記コンテンツ通知情報に基づき前記推薦コンテンツの通知を制御する第２ステップと、を有し、
前記第１ステップにおいて、緊急情報を通知する緊急通知情報を取得するとき、
前記第２ステップにおいて、前記緊急情報を前記推薦コンテンツの通知よりも優先して出力する
情報提供方法。
【請求項１３】
電子機器のコンピュータに、
提供可能とする推薦コンテンツを通知するコンテンツ通知情報を取得する第１ステップと、
前記コンテンツ通知情報に基づき前記推薦コンテンツの通知を制御する第２ステップと、を実行させるためのプログラムであって、
前記第１ステップにおいて、緊急情報を通知する緊急通知情報を取得するとき、
前記第２ステップにおいて、前記緊急情報を前記推薦コンテンツの通知よりも優先して出力する
プログラム。
【発明の詳細な説明】
【技術分野】
【０００１】
本発明は、電子機器、情報提供システム、情報提供方法、およびプログラム、例えば、ユーザの嗜好に基づいて各種のコンテンツを推薦するための情報提供システムに関する。
【背景技術】
【０００２】
従来から、ネットワークに接続された情報提供装置がユーザの嗜好に応じたコンテンツに関する情報を端末装置に提供するコンテンツ推薦技術が提案されている。例えば、特許文献１には、端末装置がお勧め情報を出力する際の状況情報、および他の端末装置の動作履歴情報の何れかを取得し、取得した情報に応じたお勧め情報を端末装置に出力させる制御サーバについて記載されている。当該端末装置には、さらに周囲のユーザを検出したことに応じて、お勧め情報を配置したお勧め画面を配置したお勧め画面を表示させ、お勧め画面には、現在の日付と現在の日付に関連するメッセージ、天気予報、お勧め画面の表示を終了させる放送コンテンツの表示を開始させるためのオブジェクト、および、お勧め情報を更新させるためのオブジェクトが含まれる。１つのお勧め情報は、お勧めするコンテンツを選択させるための１つのオブジェクト内に、コンテンツに関連する関連情報が表示された情報であり、関連情報には、お勧め情報が選択された場合に端末装置にて行われる動作を示す画像、コンテンツのタイトル、コンテンツを示す画像、コンテンツに関する時間情報、および、お勧め理由を示すメッセージが含まれる。
【先行技術文献】
【特許文献】
【０００３】
【特許文献１】国際公開第２０１７／０５７０１０号公報
【発明の概要】
【発明が解決しようとする課題】
【０００４】
一般に、端末装置の使用中において災害、事故などの緊急事態が発生することがある。緊急事態の発生時には、政府や地方公共団体をはじめとする公的機関等から提供される緊急情報を確実に住民に伝達することが望まれる。しかしながら、従来のコンテンツ推薦技術では、必ずしも緊急情報の伝達について考慮されていなかった。
【０００５】
本発明は、上記の点に鑑みてなされたものであり、コンテンツの推薦の際、より確実に緊急情報を提供することができる電子機器、情報提供システム、情報提供方法、およびプログラムを提供することを課題とする。
【課題を解決するための手段】
【０００６】
本発明は上記の課題を解決するためになされたものであり、本発明の一態様は、コンテンツごとの属性を示すコンテンツ情報を取得する情報取得部と、前記コンテンツ情報を参照して、提供可能とする推薦コンテンツを通知するコンテンツ知情報を生成する通知情報生成部と、前記コンテンツ通知情報の出力を制御する出力制御部と、を備え、前記情報取得部が緊急情報を取得するとき、前記出力制御部は、前記緊急情報を通知する緊急通知情報を前記コンテンツ通知情報よりも優先して出力する電子機器である。
【発明の効果】
【０００７】
本実施形態によれば、コンテンツの推薦の際、より確実に緊急情報を提供することができる。例えば、ユーザに対する緊急性の訴求や、必要に応じて避難などの回避もしくは予防のための行動がより効果的に促進される。
【図面の簡単な説明】
【０００８】
【図１】本実施形態に係る情報提供システムの機能構成例を示す概略ブロック図である。
【図２】本実施形態に係る情報提供装置の機能構成例を示すブロック図である。
【図３】本実施形態に係る情報提供装置のハードウェア構成例を示す概略ブロック図である。
【図４】本実施形態に係る選局情報の例を示す図である。
【図５】本実施形態に係る番組情報の例を示す図である。
【図６】本実施形態に係るチャネル対応情報の例を示す図である。
【図７】本実施形態に係る緊急情報の例を示す図である。
【図８】本実施形態に係る緊急レベルの例を示す図である。
【図９】推薦コンテンツの順位の例を示す例である。
【図１０】本実施形態に係るコンテンツカード情報の例を示す図である。
【図１１】本実施形態に係る端末装置の機能構成例を示すブロック図である。
【図１２】本実施形態に係る推薦コンテンツの情報を表す画像の表示例を示す図である。
【図１３】本実施形態に係る緊急カード情報の第１例を示す図である。
【図１４】本実施形態に係る緊急カード情報の第２例を示す図である。
【図１５】本実施形態に係る緊急カード情報の第３例を示す図である。
【図１６】本実施形態に係る緊急カード情報の第４例を示す図である。
【図１７】本実施形態に係る緊急情報の第１表示例を示す図である。
【図１８】本実施形態に係る緊急情報の第２表示例を示す図である。
【図１９】本実施形態に係る緊急情報の第３表示例を示す図である。
【図２０】本実施形態に係る緊急情報の第４表示例を示す図である。
【発明を実施するための形態】
【０００９】
以下、図面を参照しながら本発明の実施形態について説明する。
（システム概要）
まず、本実施形態に係る情報提供システム１の概要について説明する。
図１は、本実施形態に係る情報提供システム１の機能構成例を示す概略ブロック図である。
情報提供システム１は、ネットワークＮＷに接続された情報提供装置１０を含んで構成される。ネットワークＮＷには、緊急情報サーバ２０、外部サーバ３０、および端末装置５０が接続され、情報提供システム１との間で相互に各種のデータを送受信可能とする。図１に示す例では、端末装置５０の個数は１台であるが、一般には複数台となりうる。
【００１０】
情報提供装置１０は、コンテンツごとの属性を示すコンテンツ情報を外部サーバ３０から取得し、取得したコンテンツ情報を参照して、提供可能とする推薦コンテンツの受信に係るコンテンツ通知情報を生成する。情報提供装置１０は、生成したコンテンツ通知情報を出力し、端末装置５０に送信する。情報提供装置１０は、提供可能とするコンテンツのうち、端末装置５０において受信されたコンテンツの属性の傾向を解析し、その傾向に基づいて推薦コンテンツを選択してもよい。情報提供装置１０は、これによりレコメンドサーバとして機能する。以下の説明では、受信を、視聴と呼ぶことがある。視聴とは、ユーザに対して視認可能に表示すること、受聴可能に再生することの一方または両方を意味する。
情報提供装置１０は、緊急情報サーバ２０から緊急情報を取得するとき、取得した緊急情報を通知する緊急通知情報を生成する。情報提供装置１０は、生成した緊急通知情報をコンテンツ通知情報よりも優先して端末装置５０に出力する。
【００１１】
コンテンツは、映像、音声、テキストなどのいずれか、またはそれらの組み合わせを含んで構成される。コンテンツは、例えば、テレビジョン放送番組、ビデオ・オン・デマンド（ＶＯＤ：Ｖｉｄｅｏ−ｏｎ−Ｄｅｍａｎｄ）コンテンツ、広告映像、楽曲、などがある。以下の説明では、コンテンツが、主にテレビジョン放送番組ならびにＶＯＤコンテンツである場合を主とする。また、テレビジョン放送番組を番組と呼ぶ。推薦コンテンツは、各端末装置５０のユーザに推薦対象とするコンテンツを意味し、レコメンドコンテンツと呼ぶことがある。提供先とする端末装置５０は、不特定多数の端末装置５０であってもよいし、所定の契約を締結した特定のユーザに係る端末装置５０であってもよい。
【００１２】
緊急情報サーバ２０は、緊急事態の発生を示す緊急情報を取得するサーバ装置である。緊急情報サーバ２０は、自装置に入力される操作信号に従って所定の形式を有する緊急情報を生成する。緊急情報サーバ２０は、ネットワークＮＷに接続された他の機器から緊急情報を受信する。緊急事態は、例えば、降雨、降雪、暴風、地震、河川の氾濫、暴波浪、津波などの自然現象の他、交通機関の障害、停電、火災、テロリズムなど人為的な原因による事件が含まれる。緊急事態は、これらの自然現象や事故のうち、特に不特定人の身体、物など主に有体物に損害が発生または発生の可能性がある出来事を指す。個々の緊急情報には、その緊急性の度合いを示す緊急レベルの情報が含まれうる。自然災害に係る緊急情報の緊急レベルとして、例えば、内閣府「避難勧告等に関するガイドライン」（ｈｔｔｐ：／／ｗｗｗ．ｂｏｕｓａｉ．ｇｏ．ｊｐ／ｈｉｎａｎｋａｎｋｏｋｕ／ｈｉｎａｎｊｕｍｂｉｊｏｈｏ／ｉｎｄｅｘ．ｈｔｍｌ）に記載された緊急災害レベルが適用されてもよい。
緊急情報サーバ２０は、取得した緊急情報を情報提供装置１０に送信する。
【００１３】
外部サーバ３０は、コンテンツに関する各種の情報を情報提供装置１０もしくは端末装置５０に送信するサーバ装置である。図１に示す例では、外部サーバ３０の個数は１個であるが、複数となりうる。外部サーバ３０には、例えば、番組集積サーバ、ＶＯＤコンテンツ集積サーバ、ＶＯＤコンテンツサーバなどが含まれうる。
【００１４】
番組集積サーバは、各放送チャンネルで放送予定および放送済みの番組ごとの番組情報を放送事業者のサーバ装置から取得し、取得した番組情報を集積するサーバ装置である。番組集積サーバは、例えば、電子番組表（ＥＰＧ：Ｅｌｅｃｔｒｏｎｉｃ  Ｐｒｏｇｒａｍ  Ｇｕｉｄｅ）提供事業者のサーバ装置である。番組集積サーバは、新たに取得した放送予定の番組に係る番組情報を所定時間（例えば、１日）ごとに情報提供装置１０に送信する。また、番組集積サーバは、放送済みの番組に係る番組情報を情報提供装置１０に送信する。
【００１５】
ＶＯＤコンテンツ集積サーバは、送信可能なＶＯＤコンテンツおよび送信されたＶＯＤコンテンツに係るＶＯＤコンテンツ情報をコンテンツ提供業者のサーバ装置から逐次に取得し、取得したＶＯＤコンテンツ情報を集積するサーバ装置である。ＶＯＤコンテンツ集積サーバは、新たに取得したＶＯＤコンテンツ情報を所定時間（例えば、１日）ごとに情報提供装置１０に送信する。また、ＶＯＤコンテンツ集積サーバは、いずれかの端末装置５０への送信済みのＶＯＤコンテンツに係るＶＯＤコンテンツ情報を情報提供装置１０に送信する。なお、以下の説明では、番組情報、ＶＯＤコンテンツ情報など個々のコンテンツのメタ情報をコンテンツ情報と総称する。番組集積サーバ、ＶＯＤコンテンツ集積サーバなどのコンテンツ情報を提供するサーバ装置を、コンテンツ情報サーバと総称する。コンテンツ情報サーバは、情報提供装置１０からの送信要求に応じて送信済みのコンテンツに係るコンテンツ情報を送信してもよいし、当該コンテンツ情報を随時送信してもよい。
【００１６】
ＶＯＤコンテンツサーバは、各種のＶＯＤコンテンツのコンテンツデータを記憶するサーバ装置である。ＶＯＤコンテンツサーバは、端末装置５０から受信したＶＯＤコンテンツ要求が示すＶＯＤコンテンツのコンテンツデータを読み取る。コンテンツデータは、ＶＯＤコンテンツを構成する映像データを含んで構成される。ＶＯＤコンテンツサーバは、読み取ったコンテンツデータを、ＶＯＤコンテンツ要求に対する応答として送信元の端末装置５０に送信する。
【００１７】
端末装置５０は、主に推薦コンテンツの受信サービスに係る処理を実行する。受信サービスに係る処理には、推薦コンテンツが番組であるとき、その番組が放送されるチャネルの放送波を受信すること、もしくは、ユーザが指定した予約時間に、その番組の番組データを受信および記録することが含まれる。端末装置５０は、推薦コンテンツの受信に係る受信情報を含むカード情報を取得する。例えば、推薦コンテンツが番組であるとき、番組データを搬送する放送波の放送チャネルと放送時間が受信情報に含まれる。推薦コンテンツがＶＯＤコンテンツである場合には、例えば、推薦コンテンツのコンテンツデータが記憶されているＶＯＤコンテンツサーバのアドレス、ファイル名などが含まれる。そして、端末装置５０は、有効期間内であるか否かに応じてその優先度に基づいて推薦コンテンツを示すコンテンツ通知情報の出力の要否を制御する。端末装置５０は、コンテンツ通知情報として推薦コンテンツを示す画像への操作による指示に応じて推薦コンテンツの受信に係る機能を実行する。例えば、端末装置５０は、受信情報に基づいて放送波を受信し、受信した放送波で搬送された番組データを取得し、取得した番組データに含まれる映像データを表示部に出力する。但し、情報提供装置１０から緊急通知情報を取得するとき、端末装置５０は、取得した緊急通知情報をコンテンツ通知情報よりも優先して出力する。また、端末装置５０は、緊急通知情報に付加された緊急レベルに基づいて出力の優先度を定めてもよいし、緊急レベルに応じて表示形態を定めてもよい。
端末装置５０は、専用のハードウェアで構成されてもよいし、放送波を受信する放送受信部、ネットワークＮＷを経由して各種の他の電子機器と各種のデータを送受信可能とする通信部および各種のコンテンツを提示する表示部、操作入力を受け付ける入力部を備えていれば、各種のプロセッサやメモリを含む汎用のハードウェア上で所定のプログラムで記述された指令に係る処理を実行して、端末装置５０の機能を実現してもよい。なお、以下の説明では、プログラムで記述された指令に係る処理を実行することを、その「プログラムを実行する」と呼ぶ。
【００１８】
（情報提供装置）
次に、本実施形態に係る情報提供装置１０の構成について説明する。
図２は、本実施形態に係る情報提供装置１０の機能構成例を示すブロック図である。
情報提供装置１０は、受信コンテンツ情報蓄積部１４２、視聴履歴蓄積部１４４、推薦対象コンテンツ情報蓄積部１４６、緊急情報取得部１４８、ユーザ嗜好情報生成部１５２、ユーザ嗜好情報蓄積部１５４、推薦コンテンツ決定部１５６、カード編成部１６２、カード生成部１６４、カード蓄積部１６６、および通信部１７２を含んで構成される。
【００１９】
受信コンテンツ情報蓄積部１４２は、外部サーバ３０から通信部１７２を用いてコンテンツ情報を取得し、取得したコンテンツ情報を蓄積する。受信コンテンツ情報蓄積部１４２が取得するコンテンツ情報は、端末装置５０が過去に受信したコンテンツに関するコンテンツ情報である。受信コンテンツ情報蓄積部１４２は、例えば、番組集積サーバからコンテンツ情報として番組情報を取得する。番組情報は、例えば、図５に示すように、番組ごとの番組ＩＤ（Ｉｄｅｎｔｉｆｉｅｒ）、放送開始時刻、放送終了時刻、放送局名、番組名、ジャンル（分野）およびキャスト（出演者）を含む情報を示すメタデータとして構成されうる。放送開始時刻および放送終了時刻は、放送時間を示す情報である。また、受信コンテンツ情報蓄積部１４２は、例えば、ＶＯＤコンテンツ集積サーバからコンテンツ情報としてＶＯＤコンテンツ情報を取得する。ＶＯＤコンテンツ情報は、例えば、ＶＯＤコンテンツごとのコンテンツＩＤ、取得先情報、再生時間、掲載開始時刻、掲載終了時刻、制作者名、提供者名、表題、ジャンルおよびキャストを含む情報を示すメタデータとして構成される（図示せず）。取得先情報は、例えば、そのＶＯＤコンテンツが送信可能なＶＯＤコンテンツサーバ装置のＵＲＬ（Ｕｎｉｆｏｒｍ  Ｒｅｓｏｕｒｃｅ  Ｌｏｃａｔｏｒ）などである。ＵＲＬには、そのＶＯＤコンテンツのＶＯＤコンテンツデータの格納先のディレクトリの情報も含まれうる。掲載開始時刻、掲載終了時刻は、そのサーバ装置においてそのＶＯＤコンテンツが送信可能な状態が開始する時刻、送信可能な状態が終了する時刻である。
【００２０】
視聴履歴蓄積部１４４は、端末装置５０から通信部１７２を用いて選局情報を取得し、取得した選局情報を順次蓄積して端末装置５０ごとに番組視聴履歴を形成する。選局情報は、例えば、図４に示すように、ユーザＩＤ、地域、チャネル番号、視聴開始時刻および視聴終了時刻を含む情報である。ユーザＩＤは、端末装置５０のユーザを特定する情報である。ユーザＩＤに代えて、端末装置５０の機器ＩＤが用いられてもよい。地域は、当該番組が放送される地域である。チャネル番号は、当該番号が放送される放送チャネルの番号である。視聴開始時刻および視聴終了時刻は、その番組を受信した受信時間を示す。視聴開始時刻または視聴終了時刻は、その番組の放送時間内の時刻である場合がある。そのような場合には、ユーザが放送中に他の番組への切り替えを指示する場合、１つの番組において他の番組（例えば、ＣＭ：Ｃｏｍｍｅｒｃｉａｌ  Ａｄｖｅｒｔｉｓｅｍｅｎｔ、番組宣伝、など）が挿入される場合、などがある。そのため、ある番組の放送時間が、受信時間と１対１に対応付けられているとは限らず、複数の連続する時間帯に区分されることもありうる。
【００２１】
視聴履歴蓄積部１４４は、自部に予め記憶させておいたチャネル対応情報を参照して、選局情報が示す地域およびチャネル番号に対応する放送局名を、当該番組を放送する放送局として特定する。チャネル対応情報は、例えば、図６に示すように、地域、チャネル番号および放送局名を対応付けて構成される情報である。
そして、視聴履歴蓄積部１４４は、特定した放送局名が一致し受信時間が放送時間に含まれる番組名を、当該受信時間内に受信された番組の番組名として特定することができる。
なお、視聴履歴蓄積部１４４は、端末装置５０から取得したＶＯＤ選択情報を順次蓄積して端末装置５０ごとにＶＯＤ視聴履歴を形成する。ＶＯＤ選択情報は、ユーザＩＤ、コンテンツＩＤ、視聴開始時刻および視聴終了時刻を含む情報である（図示せず）。コンテンツＩＤは、各ＶＯＤコンテンツを特定する情報である。
【００２２】
図２に戻り、推薦対象コンテンツ情報蓄積部１４６は、外部サーバ３０から通信部１７２を用いて推薦対象となる可能性のあるコンテンツに関するコンテンツ情報を取得し、取得したコンテンツ情報として番組情報とＶＯＤコンテンツ情報を蓄積する。ここで、推薦対象となる可能性のあるコンテンツは、番組を例にすると、翌朝午前５時から翌々日午前５時までの２日間等、その時点よりも未来の所定期間内に放送予定の番組であればよい。この期間に放送予定の番組から、推薦コンテンツが選択されることになる。番組情報が推薦対象コンテンツ情報蓄積部１４６にチャネルおよび放送時間に応じて順次蓄積されることで、推薦対象コンテンツ情報の一部として番組情報が形成される。推薦対象コンテンツ情報蓄積部１４６が取得する番組情報は、未来に放送される予定の番組に関する番組情報である点で、視聴済みの番組に関する番組情報を取得する受信コンテンツ情報蓄積部１４２とは異なる。推薦対象コンテンツ情報蓄積部１４６は、番組の放送終了後に、その番組の番組情報を複製（コピー）して受信コンテンツ情報蓄積部１４２に記憶し、自部に記憶した番組情報を消去する。その場合には、外部サーバ３０である番組集積サーバは放送済みの番組に係る番組情報の情報提供装置１０への送信を省略してもよい。
【００２３】
推薦対象コンテンツ情報蓄積部１４６が取得するＶＯＤコンテンツ情報は、未来において送信可能なＶＯＤコンテンツに関するＶＯＤコンテンツ情報である点で、視聴済みのＶＯＤに関するＶＯＤコンテンツ情報を取得する受信コンテンツ情報蓄積部１４２とは異なる。推薦対象コンテンツ情報蓄積部１４６は、いずれかの端末装置５０において受信したＶＯＤコンテンツに関するＶＯＤコンテンツ情報を複製して受信コンテンツ情報蓄積部１４２に記憶してもよい。推薦対象コンテンツ情報蓄積部１４６は、視聴履歴蓄積部１４４に記憶されたＶＯＤ視聴履歴を参照して、受信した端末装置５０と受信されたＶＯＤコンテンツとを特定することができる。その場合、ＶＯＤコンテンツ集積サーバは送信済みのＶＯＤコンテンツに係るＶＯＤコンテンツ情報の情報提供装置１０への送信を省略してもよい。現時点がそのＶＯＤコンテンツに所定の送信期間を超えるとき、推薦対象コンテンツ情報蓄積部１４６は、自部に記憶したＶＯＤコンテンツ情報を消去する。所定の送信期間の情報は、ＶＯＤコンテンツ情報に含まれてもよい。あるいは、掲載開始時刻、掲載終了時刻が送信期間の情報として用いられてもよい。
【００２４】
緊急情報取得部１４８は、通信部１７２を用いて緊急情報サーバ２０から緊急情報を取得する。緊急情報サーバ２０が新たな緊急情報を自発的に情報提供装置１０に送信する場合には、緊急情報取得部１４８は、緊急情報サーバ２０から緊急情報を待ち受ける。緊急情報取得部１４８は、所定時間（例えば、１５秒〜３分）ごとに新たな緊急情報の取得を示す緊急情報照会信号を緊急情報サーバ２０に通信部１７２を用いて送信する。緊急情報取得部１４８は、緊急情報サーバ２０から緊急情報照会信号に対する応答として応答情報を受信する。緊急情報取得部１４８は、受信した応答情報が新たな緊急情報の存在を示すとき、その緊急情報を応答情報から抽出する。
【００２５】
図７は、緊急情報を表すメッセージを例示する。メタデータとしてタイトルＩＤ、取得日時、有効開始時刻、有効終了時刻、緊急レベルおよびメッセージが含まれる。本願では、メタデータが付加された緊急情報も、単に緊急情報と呼ぶことがある。
タイトルＩＤは、個々の緊急情報を識別するための識別情報である。タイトルＩＤとして、緊急情報の提供元において採番された緊急情報ＩＤが用いられてもよいし、緊急情報取得部１４８が独自に採番したタイトルＩＤが用いられてもよい。取得日時は、その緊急情報が取得された時点の日時である。取得日時には、その緊急情報が発令された時点の日時が記述されてもよい。有効開始時刻、有効終了時刻は、それぞれその緊急情報の有効期間の起点の時刻、終点の時刻である。緊急レベルは、その緊急性の程度を示す値で示される。緊急レベルが高いほど、ユーザが緊急情報に接する必要性が高い。緊急性が高いとは、その緊急状況に早急に対処する必要性や、起こりうる損害を回避または軽減する必要性が高いことを含みうる。メッセージは、その緊急事態の発生状況、緊急事態に対する対応手段（例えば、避難方法、関連情報の入手先）などの情報を示す。
【００２６】
図８は、緊急レベルの例を示す。図８に例示される緊急レベルは、内閣府「避難勧告等に関するガイドライン」に掲載されている緊急災害のレベルに順じ、その値が大きいほど緊急性が高いことを示す整数値で示されている。緊急レベル「１」は、「避難準備前の警報」または緊急事態としての「災害後の警戒」を示す。つまり、緊急レベル「１」は、注意喚起など緊急情報の提供にとどめ緊急事態に対して具体的な対処に至らないことが許容される段階である。緊急レベル「２」は、「避難準備」または「高齢者等避難開始」を示す。つまり、緊急レベル「２」は、緊急事態への対処に対する準備の通知、またはいわゆる災害弱者と呼ばれる高齢者、乳幼児、妊産婦、外国人等に対する緊急事態の必要性を通知する段階である。緊急レベル「３」は、「避難勧告」を示す。つまり、緊急レベル「３」は、関連する住民に対して緊急事態への対処、対処を怠った場合に損害が発生する可能性を通知する段階である。緊急レベル「４」は、「避難指示」を示す。つまり、緊急レベル「４」は、関連する住民に対して早急に緊急事態への対処を命令する段階である。なお、緊急レベルの段階数、各段階の定義などは緊急情報の提供者において任意に設定可能であってもよい。
緊急情報取得部１４８は、取得した緊急情報をカード編成部１６２に出力する。
【００２７】
図２に戻り、ユーザ嗜好情報生成部１５２は、視聴履歴蓄積部１４４から端末装置５０ごとの番組視聴履歴を読み出し、読み取った番組視聴履歴が示す番組ごとの番組情報を受信コンテンツ情報蓄積部１４２から読み取る。ユーザ嗜好情報生成部１５２は、読み取った番組情報を参照し、ユーザの嗜好に関する属性ごとにその属性を有する番組の視聴量を分析する。嗜好に関する属性として、キャスト、ジャンル、番組名などがある。ユーザ嗜好情報生成部１５２は、例えば、キャストごとに受信した番組の受信時間を所定の累積期間（例えば、１か月〜６か月）内で累積し、累積して得られる視聴量を算出する。ユーザ嗜好情報生成部１５２は、ジャンルおよび番組名についてもキャストに対する処理と同様な手法で、それぞれジャンル、番組名ごとの視聴量を算出する。ユーザ嗜好情報生成部１５２は、属性の種別ごとに項目（つまり、キャスト、ジャンル、番組名）ごとの視聴量を降順に整列させる。ユーザ嗜好情報生成部１５２は、整列された視聴量から、属性の種別ごとに所定の項目数（例えば、第１位〜第５位までの５個）の各項目の視聴量に係る属性の種別を選択し、それ以外の項目の視聴量に係る属性の種別を棄却してもよい。これにより、端末装置５０のユーザがいかなる属性を有する番組を嗜好するかが分析される。ユーザ嗜好情報生成部１５２は、選択した属性の種別ごとの項目を示すユーザ嗜好情報を端末装置５０ごとに生成し、生成したユーザ嗜好情報をユーザ嗜好情報蓄積部１５４に記憶する。
なお、ユーザ嗜好情報生成部１５２は、ＶＯＤコンテンツについても番組と同様な手法でユーザ嗜好情報を端末装置５０ごとに作成し、作成したユーザ嗜好情報をユーザ嗜好情報蓄積部１５４に記憶する。その際、ユーザ嗜好情報生成部１５２は、番組視聴履歴および番組情報に代えて、ＶＯＤ視聴履歴およびＶＯＤコンテンツ情報を用いる。
【００２８】
ユーザ嗜好情報蓄積部１５４は、ユーザ嗜好情報生成部１５２が生成したユーザ嗜好情報を記憶する。ユーザ嗜好情報蓄積部１５４は、推薦コンテンツ決定部１５６が推薦コンテンツを定めるために参照したユーザ嗜好情報を消去してもよい。
【００２９】
推薦コンテンツ決定部１５６は、ユーザ嗜好情報蓄積部１５４から端末装置５０ごとのユーザ嗜好情報を読み取る。推薦コンテンツ決定部１５６は、読み取ったユーザ嗜好情報を用いて推薦対象コンテンツ情報蓄積部１４６に蓄積されたコンテンツ情報に係るコンテンツから推薦コンテンツの候補を定める。以下、推薦コンテンツの候補を候補コンテンツと呼ぶ。
【００３０】
推薦コンテンツ決定部１５６は、例えば、ジャンル、キャストなどの属性のうち、所定のレコメンド種別に係る項目をキーとして、その項目と一致する要素をより多く一致する情報要素を番組情報に含む番組ほど高いスコアを与える。スコアは、スコアは、所定の値域（例えば、０〜１００）内に正規化された値であってもよい。スコアは、後述のように端末装置５０に送信する際の優先度の指標として用いられる。推薦コンテンツ決定部１５６は、候補コンテンツごとに定めたスコアを、個々の候補コンテンツのコンテンツ情報に付加してカード編成部１６２に出力する。
【００３１】
カード編成部１６２は、推薦コンテンツ決定部１５６から入力されるコンテンツ情報に係る候補コンテンツから所定の単位時間（例えば、１０〜６０分）のスロット（つまり、時間帯）ごとに端末装置５０が一度に受信し、提示可能とする所定のカード情報の個数と等しい個数のコンテンツを推薦コンテンツとして選択する。カード編成部１６２は、候補コンテンツのサービス種別のそれぞれについてスコアが高い候補コンテンツほど優先して推薦コンテンツとして選択する。サービス種別とは、端末装置５０のユーザに対するサービス形態の種別を意味する。サービス種別には、例えば、放送、予約、ＶＯＤがある。放送とは、その時点で放送される番組の番組データを受信し、受信した番組データに係る映像、音声などのコンテンツをその時点で提示するサービスである。予約とは、放送予定の番組の番組データの受信および記録を指示された時間に行うサービスである。ＶＯＤとは、その時点で送信可能なＶＯＤコンテンツを要求し、要求したＶＯＤコンテンツのＶＯＤコンテンツデータを受信し、受信したＶＯＤコンテンツデータに係るコンテンツをその時点で提示するサービスである。
【００３２】
カード編成部１６２は、推薦コンテンツごとのスコアの降順に各サービス種別について順位を定め、各スロットにおけるサービス種別ごとの順位をコンテンツ情報に含めてもよい。カード編成部１６２は、選択した推薦コンテンツそれぞれのコンテンツ情報をカード生成部１６４に出力する。
図９は、カード編成部１６２が定めた順位の例を示す。図９に示す例では、各列はサービス種別ごとに割り当てられている。列１、列２は、サービス種別としてＶＯＤに、列３は放送、列４は予約に割り当てられる。各行は、各列に対する順位を示す。上方の行ほど順位が高く、下方の行ほど順位が低い。各行、各列の欄には、個々の推薦コンテンツを示すコンテンツＩＤが記述されている。
【００３３】
但し、緊急情報取得部１４８から緊急情報が入力される場合には、カード編成部１６２は、入力される緊急情報を他の推薦コンテンツに係るコンテンツ情報よりも優先してカード生成部１６４に緊急情報を出力する。つまり、カード編成部１６２は、緊急情報の出力に代えて、選択された一部または全部の推薦コンテンツに係るコンテンツ情報のカード生成部１６４への出力を停止する。また、緊急レベルが高い緊急情報ほど、カード編成部１６２は、カード生成部１６４にコンテンツ情報を出力する推薦コンテンツの件数を少なくしてもよい。カード編成部１６２は、緊急レベルが所定のレベル（例えば、レベル３）以上であるとき、推薦コンテンツに係るコンテンツ情報の出力を停止してもよい。
カードまたはカード情報との名称は、後述するように、推薦コンテンツの情報が端末装置５０において、一例としてカード型の画像として表示され、その画像に対する操作に応じて推薦コンテンツのコンテンツデータが受信されることによる。また、緊急情報もカード型の画像として表示されうる。以下の説明では、コンテンツ情報に係るカード情報をコンテンツカード情報、緊急情報に係るカード情報を緊急カード情報と呼んで両者を区別することがある。つまり、コンテンツカード情報は、コンテンツ情報を通知するためのコンテンツ通知情報に相当し、緊急カード情報は緊急情報を通知するための緊急通知情報に相当する。
【００３４】
カード編成部１６２は、緊急情報と少なくとも一部の推薦コンテンツに係るコンテンツ情報をカード生成部１６４に出力する場合（例えば、緊急レベルがレベル２である場合）には、緊急情報に関連するコンテンツ情報（例えば、緊急情報を報道するニュース番組、緊急情報の詳細を提供する所定のウェブページ、など）である関連コンテンツ情報を取得し、取得した関連コンテンツ情報を他のコンテンツ情報よりも優先して出力してもよい。カード編成部１６２は、例えば、ニュース番組に関するコンテンツ情報を抽出する際、入力されるコンテンツ情報のうち、緊急情報に含まれる緊急事態を示す語句を含むものを関連コンテンツ情報として抽出する。カード編成部１６２は、例えば、所定のウェブページに関する予め記憶させておいた関連コンテンツ情報を読み出してもよい。所定のウェブページは、例えば、地方自治体、消防署、警察署、気象庁、など緊急情報を発令する主体が用いるサーバ装置により提供される。
【００３５】
カード生成部１６４は、カード編成部１６２から入力されるコンテンツ情報を用いて、その推薦コンテンツそれぞれに係るコンテンツカード情報を生成する。コンテンツカード情報には、少なくともその推薦コンテンツの受信に用いられる情報が含まれる。図１０は、コンテンツカード情報の一例を示す図である。図１０に例示されるコンテンツカード情報は、推薦コンテンツである番組を通知するために用いられるコンテンツ通知情報である。コンテンツカード情報は、ユーザＩＤ、タイトルＩＤ、サービス種別、サービスＩＤ、表示優先度、有効開始時刻、有効終了時刻、カード表示時間帯およびレコメンド種別を含んで構成される。ユーザＩＤは、送信先である端末装置５０のユーザの識別情報である。タイトルＩＤは、番組の識別情報である。タイトルＩＤは、番組ＩＤもしくはコンテンツＩＤに相当する情報である。サービス種別の“ｂｒｏａｄｃａｓｔ”とは、サービス種別が「放送」であることを示す。サービスＩＤは、番組が放送される放送チャネルの番号である。表示優先度とは、スロットごとのそのサービス種別について設けられた順位を示す数値である。数値が小さいほど順位が高いことを示す。有効開始時刻、有効終了時刻は、それぞれコンテンツカード情報としての有効期間の開始時刻、終了時刻を示す。カード生成部１６４は、番組に係る有効開始時刻をその番組の放送開始時刻と定め、有効終了時刻を放送開始時刻より後であって放送終了時刻前の時刻（典型的には、放送開始後の放送時間の経過率が１／２〜３／４）を経過した時刻）に定める。カード表示時間帯の「２０」は、カード取得単位時間（後述）の開始時刻として２０時を示す値である。これらの要素情報のうち、番組情報に含まれる番組ＩＤ、放送開始時刻および放送終了時刻（図５）が、それぞれコンテンツカード情報のタイトルＩＤ、有効開始時刻、有効終了時刻を定めるために用いられうる。
【００３６】
なお、コンテンツカード情報には、カード表示時間帯に代え、またはカード表示時間帯とともにスロットの識別情報が含まれてもよい。また、コンテンツカード情報には、コンテンツのタイトル、そのコンテンツの代表的な画像（代表画像）、その概要を示すメッセージが含まれてもよい。番組情報には、タイトル、代表画像およびメッセージが含まれ、カード生成部１６４が、各１件の番組情報からこれらの要素情報をコンテンツカード情報の一部として充当してもよい。
【００３７】
サービス種別が予約である番組については、カード生成部１６４は、有効開始時刻を特に設けず、有効終了時刻をその番組の放送開始時刻の所定時間（例えば、３分〜１時間）前と定める。
サービス種別がＶＯＤであるＶＯＤコンテンツについて、カード生成部１６４は、有効開始時刻、有効終了時刻を、それぞれ配信開始時刻、配信終了時刻に定める。カード生成部１６４は、コンテンツカード情報において、サービスＩＤに代えて、ＶＯＤコンテンツの配信元であるコンテンツサーバ装置のアドレスであるＵＲＬを記述し、放送種区分の欄を省略してもよい。
【００３８】
カード生成部１６４は、生成したコンテンツカード情報を、そのコンテンツ情報に付加された各スロットにおけるサービス種別ごとの順位に従って配列する。
カード生成部１６４に緊急情報が入力される場合には、その緊急情報を用いて緊急カード情報を生成する。緊急カード情報には、少なくとも緊急情報、例えば、図７に例示するメッセージの一部または全部が含まれる。
カード生成部１６４は、各スロットについてサービス種別ごとに定めた順位に従って配列したレコメンドカード情報をカード蓄積部１６６に記憶する。
【００３９】
カード生成部１６４は、緊急情報の表示態様を示す付加情報を緊急カード情報に付加してもよい。カード生成部１６４は、その緊急情報の緊急レベルが高いほど、顕著な表示態様を示す付加情報を付加する。つまり、カード生成部１６４は、緊急情報に付加された緊急レベルに対応した表示態様を指定するフォーマットを示す付加情報を定める。顕著な表示態様とは、より目立つことを意味する。顕著な表示態様とは、例えば、表示領域や個々の文字や記号が大きいこと、背景と輝度または色度の差が大きいことであってもよい。また、緊急カード情報の表示領域を大きくすることは、カード編成部１６２が出力を停止した一部または全部の推薦コンテンツに係るコンテンツカード情報を表示させるための表示領域を占有することであってもよい。
カード生成部１６４は、緊急カード情報の表示領域の大きさを所定の大きさよりも大きくする場合には、緊急情報の詳細を示す詳細情報の提供元を示す情報を緊急カード情報に含めてもよい。提供元として、例えば、地方自治体、消防署、警察署、気象庁、などのウェブページのアドレスを緊急カード情報に含めてもよい。
【００４０】
カード生成部１６４は、生成した緊急カード情報をその時点におけるスロットの所定のサービス種別（例えば、端末装置５０の表示領域の最左端または最右端に係るサービス種別）における最高の順位にカード蓄積部１６６に記憶する。一部のサービス種別の推薦コンテンツに係るコンテンツカード情報の表示領域を占有する場合には、カード生成部１６４は、さらに緊急カード情報の順位として、そのサービス種別の順位を最高順位（第一位）として定め、定めた順位を示す順位情報を緊急カード情報に付加して記憶してもよい。この順位情報により、出力されない推薦コンテンツに係るコンテンツカード情報の表示領域の緊急情報による占有が識別される。緊急カード情報の例については、後述する。
【００４１】
カード蓄積部１６６には、各スロットについてサービス種別ごとに定めた順位に従って配列したコンテンツカード情報が記憶される。また、カード生成部１６４で緊急カード情報が生成される場合には、その時点におけるスロットの所定のサービス種別の最高順位に緊急カード情報が記憶される。その時点におけるスロットとは、その時点の時刻が含まれるスロット、またはかかるスロットが存在しない場合には、その次の時間帯のスロットを指す。カード蓄積部１６６は、カード取得単位時間（例えば、３０分〜３時間）ごとに端末装置５０から通信部１７２を経由してカード情報要求を受信する。カード蓄積部１６６は、カード情報要求の応答として、その端末装置５０にその時点のカード取得単位時間について集約されたカード情報を、通信部１７２を用いて送信する。
なお、カード取得単位時間は、スロットと等しいか、スロットの自然数倍の時間であればよい。
また、カード蓄積部１６６は、カード生成部１６４が生成した緊急カード情報の入力を監視（モニタ）し、緊急カード情報が入力されるとき、カード情報要求の入力の有無に関わらず通信部１７２を経由して端末装置５０に送信してもよい。
【００４２】
通信部１７２は、ネットワークＮＷと接続し、ネットワークＮＷに接続された他の機器との間で各種のデータを無線または有線で送受信する。
【００４３】
次に、本実施形態に係る情報提供装置１０のハードウェア構成例について説明する。図３は、本実施形態に係る情報提供装置１０のハードウェア構成例を示す概略ブロック図である。
情報提供装置１０は、プロセッサ１０２、記憶媒体１０４、ドライブ部１０６、入力部１０８、出力部１１０、ＲＯＭ（Ｒｅａｄ  Ｏｎｌｙ  Ｍｅｍｏｒｙ）１１２、ＲＡＭ（Ｒａｎｄｏｍ  Ａｃｃｅｓｓ  Ｍｅｍｏｒｙ）１１４、補助記憶部１１６およびインタフェース部１１８を含んで構成される。
プロセッサ１０２、ドライブ部１０６、入力部１０８、出力部１１０、ＲＯＭ１１２、ＲＡＭ１１４、補助記憶部１１６およびインタフェース部１１８は、バスＢＳを用いて相互に接続される。従って、情報提供装置１０は、少なくともその一部をコンピュータとして構成される。
【００４４】
プロセッサ１０２は、例えば、ＲＯＭ１１２に記憶されたプログラムや各種のデータを読み出し、当該プログラムを実行して、情報提供装置１０の動作を制御する。本願では、「プログラムを実行する」とは、プログラムに記述された命令（コマンド）が示す処理を実行することを意味することがある。プロセッサ１０２は、例えば、ＣＰＵ（Ｃｅｎｔｒａｌ  Ｐｒｏｃｅｓｓｉｎｇ  Ｕｎｉｔ）である。
プロセッサ１０２は、所定のプログラムを実行して、上記の受信コンテンツ情報蓄積部１４２、視聴履歴蓄積部１４４、推薦対象コンテンツ情報蓄積部１４６、緊急情報取得部１４８、ユーザ嗜好情報生成部１５２、ユーザ嗜好情報蓄積部１５４、推薦コンテンツ決定部１５６、カード編成部１６２、カード生成部１６４およびカード蓄積部１６６の機能部を実現してもよい。
【００４５】
記憶媒体１０４は、各種のデータを記憶する。記憶媒体１０４は、例えば、光磁気ディスク、フレキシブルディスク、フラッシュメモリなどの可搬記憶媒体である。
ドライブ部１０６は、例えば、記憶媒体１０４からの各種データの読み出しと、記憶媒体１０４への各種データの書き込みの一方または両方を行う機器である。
【００４６】
入力部１０８は、ユーザの操作を受け付け、受け付けた操作に応じて操作信号を生成し、生成した操作信号をＣＰＵ１０２に出力する入力装置である。入力部１０８は、例えば、例えば、マウス、キーボードなどが該当する。本願では、入力される操作信号が示す情報に従って動作することを、単に「操作に応じて動作する」と呼ぶことがある。
出力部１１０は、例えば、ディスプレイなどの表示部、スピーカなどの再生部である。
ＲＯＭ１１２は、例えば、ＣＰＵ１０２が実行するためのプログラムを記憶する。
ＲＡＭ１１４は、例えば、ＣＰＵ１０２で用いられる各種データ、プログラムを一時的に保存する。
【００４７】
補助記憶部１１６は、ＨＤＤ（Ｈａｒｄ  Ｄｉｓｋ  Ｄｒｉｖｅ）、フラッシュメモリなどの記憶媒体である。なお、各種データ、プログラムを記憶可能とする記憶媒体を、記憶部と総称する。
インタフェース部１１８は、他の機器との間で各種のデータを有線または無線で接続し入力および出力可能とする。インタフェース部１１８は、有線または無線でネットワークＮＷに接続する通信モジュールを備え、ネットワークＮＷに接続されたさらに他の機器との間で各種のデータを送信および受信可能とする。インタフェース部１１８は、上記の通信部１７２に相当する。
なお、緊急情報サーバ２０、外部サーバ３０および端末装置５０は、それぞれ図３に例示する構成と同様のハードウェア構成を備えてもよい。
【００４８】
（端末装置）
次に、本実施形態に係る端末装置５０の機能構成例について説明する。
図１１は、本実施形態に係る端末装置５０の機能構成例を示すブロック図である。
端末装置５０は、カード取得部５０２、カード表示制御部５０６、機能制御部５０８、起動制御部５１０、選局機能部５１２、予約機能部５１４、通信コンテンツ機能部５１６、検出部５２２、入力部５２４、表示部５２６、通信部５３２および放送受信部５３４を含んで構成される。
【００４９】
カード取得部５０２は、カード取得単位時間ごとにカード情報要求を情報提供装置１０に通信部５３２を用いて送信する。カード取得部５０２は、カード情報要求に対する応答として、そのカード取得単位時間のカード情報を情報提供装置１０から受信し、受信したカード情報を記憶する。
カード取得部５０２は、カード情報要求の送信の有無に関わらず、緊急カード情報の情報提供装置１０からの受信を監視（モニタ）してもよい。カード取得部５０２は、緊急カード情報を受信するとき、受信した緊急カード情報をその時点におけるスロットの所定のサービス種別の最高順位に記憶する。
【００５０】
カード表示制御部５０６は、表示されたカードへの指示に応じた推薦コンテンツの受信サービスに係る処理を制御する。カード表示制御部５０６は、その時点（現在）の時刻が属する時間帯であるスロットのカード情報をカード取得部５０２から読み取る。時間経過に応じて現在時刻が属するスロットが更新されるとき、カード表示制御部５０６は、更新前のスロットのカード情報を消去する。カード取得部５０２には、その時点の時刻が属するスロットの最高順位に緊急カード情報が記憶されるので、緊急カード情報はコンテンツカード情報よりも優先して読み出される。
【００５１】
カード表示制御部５０６は、現在時刻がカード情報で通知される有効期間内であるか否かを判定する。有効期間内であると判定したカード情報について、カード表示制御部５０６は、そのカード情報を表示するための画像データを生成する。コンテンツカード情報については、カード表示制御部５０６は、そのコンテンツカード情報に係る推薦コンテンツの情報を表す画像データを生成する。生成される画像データは、一例としてカードの形状を有する画像を含む。推薦コンテンツの情報として、例えば、タイトル、放送時間もしくは再生時間、放送局名もしくはコンテンツ提供者名など、ユーザが目視により個々の推薦コンテンツを識別することができる情報が含まれる。カード表示制御部５０６は、生成した画像データを推薦コンテンツのサービス種別ごとに所定の個数ずつ表示部５２６に出力する。表示部５２６は、サービス種別ごとに所定の個数の推薦コンテンツの情報を表す画像を表示する。カード表示制御部５０６は、入力部５２４からの切替を示す操作信号が入力されるごとに、出力対象の推薦コンテンツの情報を表す画像データを当該順位に従って切り替える。表示部５２６に表示させる画像の表示面内の位置は、サービス種別ごとに予め定められ、カード表示制御部５０６は、表示させる画像を該当するサービス種別に対応する位置に配置した画像データを生成する。
【００５２】
緊急カード情報については、カード表示制御部５０６は、その緊急カード情報に含まれる緊急レベルが高いほど、顕著な表示態様で緊急情報を示す画像データを生成する。
カード表示制御部５０６は、表示態様として、緊急カード情報に含まれる付加情報で指示される表示領域の大きさ、個々の文字や記号の大きさ、背景との輝度または色度の差の大きさの一部または全てを定める。つまり、カード表示制御部５０６は、緊急カード情報に含まれる付加情報で示されるフォーマットで指定される表示態様を特定する。
カード表示制御部５０６は、緊急レベルが高いほど、画像データを出力するコンテンツカード情報の件数を少なくし、出力が停止される画像データに係る画像の表示領域を緊急情報の表示領域に含めてもよい。カード表示制御部５０６は、緊急レベルが所定のレベル（例えば、レベル３）以上であるとき、コンテンツカード情報に係る画像データの出力を停止してもよい。
【００５３】
カード表示制御部５０６は、緊急情報と少なくとも一部の推薦コンテンツに係るコンテンツ情報に係る画像データを出力する場合（例えば、緊急レベルがレベル２）には、そのコンテンツ情報として上記の関連コンテンツ情報に基づく画像データを出力することとなる。
【００５４】
有効期間外であると判定したカード情報について、カード表示制御部５０６は、画像データの出力を行わない。カード表示制御部５０６は、その推薦コンテンツもしくは緊急情報について、既に画像データを表示部５２６に出力している場合には、その出力を停止する。これにより、表示部５２６に表示される画像であって、その推薦コンテンツもしくは緊急情報を表す画像が消去される。カード表示制御部５０６は、その推薦コンテンツまたは緊急情報の次の順位の推薦コンテンツの情報を表す画像データを表示部５２６に出力してもよい。
【００５５】
機能制御部５０８は、押下された画像に係る推薦コンテンツのサービス種別に係る機能を奏するための処理を、そのサービス種別に対応する機能部に実行させる。押下とは、現実に押下されることの他、入力部５２４から入力されるその画像または当該画像の表示領域内の位置が操作信号で指示されるという意味を含む。
【００５６】
機能制御部５０８は、例えば、サービス種別として放送について、押下された画像に係る番組のコンテンツカード情報と起動指示を選局機能部５１２に出力する。カード情報には、その番組の受信に用いる受信情報としてチャンネルの情報が含まれる。これにより、選局機能部５１２は、選局処理（後述）の実行を開始する。
機能制御部５０８は、サービス種別として予約について、押下された画像に係る番組のコンテンツカード情報と起動指示を予約機能部５１４に出力する。コンテンツカード情報には、その番組の受信に用いる受信情報としてチャネルならびに放送時間の情報が含まれる。これにより、予約機能部５１４は、予約処理（後述）の実行を開始する。
機能制御部５０８は、サービス種別としてＶＯＤについて、押下された画像に係るＶＯＤコンテンツのカード情報と起動指示を通信コンテンツ機能部５１６に出力する。コンテンツカード情報には、そのＶＯＤコンテンツの受信に用いる受信情報としてＵＲＬなどの取得先情報が含まれる。通信コンテンツ機能部５１６は、機能制御部５０８から起動指示が入力されるときＶＯＤ受信処理（後述）の実行を開始する。
【００５７】
起動制御部５１０は、起動が指示されるとき、端末装置５０の主機能部を起動させる。起動が指示されるとは、検出部５２２から検出信号が入力されること、または、入力部５２４から起動を示す操作信号が入力されることが相当する。起動制御部５１０は、例えば、各機能部に電源からの電力を供給するか否かを制御するスイッチを含んで構成される。端末装置５０の主機能部として、放送、予約、ＶＯＤの各機能の実現に要する機能部、より具体的には、カード取得部５０２、カード表示制御部５０６、機能制御部５０８、選局機能部５１２、予約機能部５１４、通信コンテンツ機能部５１６、入力部５２４、表示部５２６、通信部５３２および放送受信部５３４が該当する。
起動制御部５１０は、検出部５２２から検出信号が入力されなくなるとき、または、入力部５２４から動作停止を示す操作信号が入力されるとき、端末装置５０の主機能部の動作を停止させてもよい。
起動制御部５１０と検出部５２２は、主機能部の動作停止中に電力が供給され独立に動作可能としてもよい。例えば、起動制御部５１０と検出部５２２は、主機能部とは別個の部材（集積回路、センサなど）で構成される。
【００５８】
選局機能部５１２は、機能制御部５０８から起動指示が入力されるとき、選局処理を実行する。より具体的には、選局機能部５１２は、機能制御部５０８から入力されるコンテンツカード情報からチャネルを特定する。選局機能部５１２は、放送受信部５３４に対して特定したチャネルに対応する周波数帯域の放送信号を受信させる。選局機能部５１２は、放送受信部５３４が受信した放送信号から映像データを分離し、分離した映像データを表示部５２６に出力する。
【００５９】
予約機能部５１４は、機能制御部５０８から起動指示が入力されるとき、予約処理を実行する。より具体的には、予約機能部５１４は、機能制御部５０８から入力されるコンテンツカード情報からチャネル、放送開始時刻および放送終了時刻を特定する。予約機能部５１４は、現時刻が放送開始時刻に達したとき、放送受信部５３４に対して特定したチャネルに対応する周波数帯域の放送信号の受信を開始させる。予約機能部５１４は、放送受信部５３４が受信した放送信号から映像データを分離し、分離した映像データを記憶する。なお、放送開始時刻において動作が停止しているとき、予約機能部５１４は、起動のうえ、予約処理を実行してもよい。
予約機能部５１４は、現時刻が放送終了時刻に達したとき、放送受信部５３４に対して放送信号の受信を終了させる。受信終了に伴い、予約機能部５１４は、映像データの記憶を停止する。予約機能部５１４は、入力部５２４から再生を指示する操作信号が入力されるとき、記憶した映像データを表示部５２６に出力する。これにより、記憶された番組の映像が表示される。なお、予約処理により開始された映像データの記憶を停止した後、予約機能部５１４は、動作を停止してもよい。
【００６０】
なお、選局機能部５１２、予約機能部５１４は、それぞれ受信開始時刻、受信終了時刻を視聴開始時刻、視聴終了時刻として含む選局情報を作成する。選局機能部５１２、予約機能部５１４は、さらに、自装置に設定されたユーザＩＤ、設置されている地域、受信に係るチャネルのチャネル番号を選局情報の一部として含める。選局機能部５１２、予約機能部５１４は、作成した選局情報を情報提供装置１０および外部サーバ３０に通信部５３２を用いて送信する。
【００６１】
通信コンテンツ機能部５１６は、機能制御部５０８から起動指示が入力されるとき、ＶＯＤ受信処理を実行する。より具体的には、通信コンテンツ機能部５１６は、機能制御部５０８から入力されるコンテンツカード情報から取得先情報を特定する。通信コンテンツ機能部５１６は、特定した取得先情報で指示される外部サーバ３０に通信部５３２を経由してＶＯＤコンテンツ要求を送信する。通信コンテンツ機能部５１６は、ＶＯＤコンテンツ要求に対する応答として、外部サーバ３０から取得先情報で指定されるＶＯＤコンテンツデータを受信する。通信コンテンツ機能部５１６は、受信したＶＯＤコンテンツデータに含まれる映像データを表示部５２６に出力する。
【００６２】
なお、通信コンテンツ機能部５１６は、受信開始時刻、受信終了時刻を視聴開始時刻、視聴終了時刻として含むＶＯＤ選択情報を生成する。通信コンテンツ機能部５１６は、さらに、自装置に設定されたユーザＩＤ、ＶＯＤコンテンツデータに付随して受信したコンテンツＩＤをＶＯＤ選択情報の一部として含める。通信コンテンツ機能部５１６は、生成したＶＯＤ選択情報を情報提供装置１０および外部サーバ３０に通信部５３２を用いて送信する。
【００６３】
検出部５２２は、端末装置５０の筐体表面に設置され、自部から所定範囲内（例えば、１ｍ）に所在する人物を検出する。検出部５２２は、例えば、人感センサを含んで構成される。検出部５２２は、人物を検出するとき、その検出を示す検出信号を生成する。検出部５２２は、生成した検出信号を起動制御部５１０に出力する。
【００６４】
表示部５２６は、カード表示制御部５０６から入力される画像データに基づく画像を表示する。また、表示部５２６は、選局機能部５１２、予約機能部５１４、通信コンテンツ機能部５１６からそれぞれ入力される映像データに基づく映像を表示する。表示部５２６は、例えば、液晶ディスプレイ、有機ＥＬ（Ｅｌｅｃｔｒｏ−Ｌｕｍｉｎｅｓｃｅｎｃｅ）ディスプレイ、などを含んで構成される。
【００６５】
入力部５２４は、ユーザの操作に応じて作成された操作信号を取得し、取得した操作信号をカード表示制御部５０６に出力する。入力部５２４は、例えば、制御装置（リモートコントローラ、以下、リモコンと呼ぶ）から操作信号を受信する赤外線インタフェースを含んでもよいし、ユーザの操作に応じて操作信号を作成するボタン等の専用の部材、タッチセンサ等の汎用の部材を含んでもよい。操作されるボタンや指示される位置に応じて、操作による指示内容が区別される。
【００６６】
通信部５３２は、ネットワークＮＷに接続される機器との間で、各種のデータを送受信する。通信部５３２は、例えば、通信インタフェースである。
放送受信部５３４は、放送事業者の放送設備から送信される放送信号を選局機能部５１２または予約機能部５１４から指示されるチャネルに対応する周波数帯域で受信する。放送受信部５３４は、例えば、チューナである。
【００６７】
（表示例）
次に、推薦コンテンツの情報を表す画像の表示例について説明する。
図１２は、推薦コンテンツの情報を表す画像の表示例を示す図である。
表示部５２６の表示領域には、推薦コンテンツの情報を表す画像として４個のカード型の画像Ｃｄ０１−Ｃｄ０４と３個のボタンＢｔ０１−Ｂｔ０３が表示されている。画像Ｃｄ０１−Ｃｄ０４は、表示領域の中段において、左方から右方に配列されている。
【００６８】
画像Ｃｄ０１、Ｃｄ０２は、それぞれＶＯＤコンテンツの情報を表す画像である。画像Ｃｄ０１、Ｃｄ０２には、それぞれ上方から下方に向けて、メッセージ、タイトル、スクリーンショット、表示時間、提供業者名が表されている。スクリーンショットとは、その映像に含まれる１つのシーンを表す代表的な画像である。Ｃｄ０３、Ｃｄ０４は、それぞれ番組の情報を表す画像である。画像Ｃｄ０１またはＣｄ０２が押下されるとき、機能制御部５０８は、押下された画像に係るＶＯＤコンテンツについて通信コンテンツ機能部５１６にＶＯＤ受信処理を実行させる。
【００６９】
画像Ｃｄ０３、Ｃｄ０４には、それぞれ上方から下方に向けて、メッセージ、タイトル、スクリーンショット、サービス提供状況、放送局名が表されている。画像Ｃｄ０３に係る番組のサービス種別は、放送である。画像Ｃｄ０３に含まれる「現在放送中」との文字列は、その時点において放送していることを示す。画像Ｃｄ０３が指示されるとき、機能制御部５０８は、指示された画像に係る番組について選局機能部５１２に選局処理を実行させる。画像Ｃｄ０４に係る番組のサービス種別は、予約である。画像Ｃｄ０４に含まれる「本日２０：００−２０：５４」との文字列は、予定される放送時間が当日の２０時から２０時５４分までであることを示す。画像Ｃｄ０４が指示されるとき、機能制御部５０８は、指示された画像に係る番組について予約機能部５１４に予約処理を実行させる。
【００７０】
表示部５２６の表示領域の左下端から所定範囲内には左方から右方に向けてボタンＢｔ０１、Ｂｔ０２、Ｂｔ０３がその順序で配列されている。ボタンＢｔ０１は、指示されるごとに端末装置５０の機能の停止と起動とを指示するためのボタンである。ボタンＢｔ０２は、指示されることにより次の表示順位のコンテンツの情報を表す画像の表示を指示するためのボタンである。カード表示制御部５０６には、ボタンＢｔ０２への指示に応じて切替を示す操作信号が入力される。ボタンＢｔ０３は、指示されることによりメニュー画面を表示するためのボタンである。メニュー画面には、例えば、各種の設定画面、使用方法の案内画面などが含まれる。
【００７１】
押下の検知は、表示部５２６の表示領域の表面または裏面に装着されたタッチセンサ（図示せず）からの操作信号によりなされてもよいし、リモコン（図示せず）からの操作信号によりなされてもよい。一例としてカーソル移動ボタン群と選択ボタンとを有するリモコンが用いられてもよい。カーソル移動ボタン群には、押下により上下左右の各方向へのカーソル移動を指示する操作信号を作成するための４個のボタンが含まれる。機能制御部５０８は、その時点において指示されている表示領域上の位置を示すカーソルを表示部５２６に表示させ、リモコンから入力部５２４を介して入力される操作信号が指示する方向にカーソルを移動させる。選択ボタンは、押下によりカーソルが表されている位置を指示する操作信号を作成するためのボタンである。機能制御部５０８は、入力される操作信号が指示される位置に表示されている画像に係る処理を行う。なお、リモコンは、画像Ｃｄ０１−Ｃｄ０４のそれぞれに対応した各１個のボタンを備えてもよい。ボタンの色は、対応する画像の背景色と同じであってもよい。リモコンは、ボタンの押下に応じて対応する画像を示す操作信号を生成する。これにより、ユーザは、背景色と同じ色のボタンを押下することで、その画像に示される推薦コンテンツを、受信サービスを受けようとするコンテンツとして容易に選択することができる。
【００７２】
（緊急カード情報）
次に、本実施形態に係る緊急カード情報の例について説明する。図１３〜図１６は、それぞれ緊急カード情報の例を示す図である。図１７〜図２０は、それぞれ図１３〜図１６に例示される緊急カード情報に基づく緊急情報を表す画像の表示例を示す図である。
図１３に例示される緊急カード情報は、図７に例示される緊急情報に基づいて生成された緊急カード情報の例である。この緊急カード情報は、ユーザＩＤ、タイトルＩＤ、サービス種別、緊急レベル、有効開始時刻、有効終了時刻およびメッセージを含み、メッセージとして記述された緊急情報を通知するために用いられる。緊急レベルとして「１」が設定されている。
情報提供装置１０のカード生成部１６４は、ユーザＩＤの項目に送信先である端末装置５０のユーザの識別情報を記述し、サービス種別の項目に緊急情報もしくはその通知を示す「緊急」を記述する。カード生成部１６４は、タイトルＩＤ、緊急レベル、有効開始時刻、有効終了時刻およびメッセージの各項目に、入力される緊急情報のタイトルＩＤ、緊急レベル、有効開始時刻、有効終了時刻およびメッセージの各項目に設定された情報を記述する。
なお、コンテンツカード情報とは異なり、緊急カード情報には「表示優先度」の項目が設けられていない。緊急情報は他のコンテンツ情報よりも高い優先度で通知すべき情報であるためである。
【００７３】
カード生成部１６４は、所定の緊急レベルよりも低い緊急レベル（図１３の例では「１」）が設定される緊急情報に対する緊急カード情報には、表示態様を示す付加情報は必ずしも付加されなくてもよい。緊急カード情報に表示態様を示す付加情報が含まれない場合、送信先の端末装置５０のカード表示制御部５０６は、予め設定された表示態様で緊急カード情報のメッセージを含む画像を示す画像データを生成し、生成した画像データを表示部５２６に出力すればよい。予め設定された表示態様として、コンテンツカード情報と同じ大きさの表示領域を有するカード型の画像と、メッセージを示す文字に対してコンテンツカード情報に含まれる文字と同じ書体で同じ大きさの文字が指示されればよい。また、予め設定された表示態様は、コンテンツカード情報に対する表示態様よりも顕著であってもよい。情報提供装置１０のカード生成部１６４は、緊急カード情報に、コンテンツカード情報よりも顕著な表示態様を示す付加情報を付加してもよい。
【００７４】
図１７は、図１３に例示される緊急カード情報に基づく緊急情報を表す画像の表示例を示す図である。表示部５２６の表示領域には、４個のカード型の画像Ｃｄ１１−Ｃｄ１４と３個のボタンＢｔ０１−Ｂｔ０３が表示されている。画像Ｃｄ１１は、緊急情報を表す画像である。画像Ｃｄ１１の表示領域の大きさは、画像Ｃｄ１２−Ｃｄ１４のそれぞれの表示領域の大きさと等しい。画像Ｃｄ１１には、緊急情報として緊急通知情報のメッセージである「お住まいの地域に、台風が接近しています。今後の台風情報にご注意ください。」との文字列が、画像Ｃｄ１２−１４に含まれる文字列と同じ大きさで表される。
なお、画像Ｃｄ１２−Ｃｄ１４は、図１２に例示される画像Ｃｄ０２−Ｃｄ０４に相当し、画像Ｃｄ０１に相当する画像は図１７に表示されていない。また、画像Ｃｄ１１は、画像Ｃｄ１２−Ｃｄ１４より顕著な表示態様で表されている。より具体的には、画像Ｃｄ１１は、画像Ｃｄ１２−Ｃｄ１４よりも太く、かつ異なる色彩を有する枠線で囲まれている。このことは、カード表示制御部５０６により、画像Ｃｄ１１に係る緊急カード情報が、画像Ｃｄ０１に係るコンテンツ通知情報よりも優先して出力されることを示す。そのため、ユーザは推薦コンテンツに係るコンテンツ情報よりも優先して緊急情報に接することができる。
【００７５】
図１４に例示される緊急カード情報は、ユーザＩＤ、タイトルＩＤ、サービス種別、緊急レベル、有効開始時刻、有効終了時刻およびメッセージを含む。緊急レベルとして「２」が設定されている。メッセージには、緊急情報を示すテキスト情報「○○川が氾濫する恐れが高まっています。避難準備をしてください。高齢者や体の不自由な方があるご家庭は避難を介して下さい。」が記述されている。テキスト情報は、画像の表示領域の大きさを指示する付加情報として、タグ「＜カードサイズ＝大＞…＜／カードサイズ＞」で囲まれ、そのタグで指示される大きさを有する表示領域に配置されることが指示される。指示される大きさである「大」は、所定の標準の大きさよりも大きい所定のサイズ、例えば、カード２個分を占有する表示領域を示す。この付加情報は、カード生成部１６４が、自部に入力される緊急情報に含まれる緊急レベルに基づいて付加したものである。
【００７６】
図１８は、図１４に例示される緊急カード情報に基づく緊急情報を表す画像の表示例を示す図である。表示部５２６の表示領域には、３個のカード型の画像Ｃｄ２１、Ｃｄ２３およびＣｄ２４と３個のボタンＢｔ０１−Ｂｔ０３が表示されている。画像Ｃｄ２１は、緊急情報を表す画像である。画像Ｃｄ２１の表示領域の大きさは、２つのカード型の画像である画像Ｃｄ２３と画像Ｃｄ２４のそれぞれの表示領域をいずれも占有し、画像Ｃｄ２３と画像Ｃｄ２４の間隙も含む領域の大きさに相当する。図１８に示す例では、画像Ｃｄ２１の表示領域は、画像Ｃｄ２３と画像Ｃｄ２４の間の領域も含む。画像Ｃｄ２１には、緊急通知情報のメッセージを表す文字列が表される。そのため、ユーザは提供される緊急情報により容易に察知することができる。
なお、画像Ｃｄ２３、画像Ｃｄ２４は、それぞれ画像Ｃｄ２１で通知される緊急情報に関連する関連コンテンツ情報を表す。画像Ｃｄ２３は、緊急情報に関連するニュース番組の番組情報を示し、操作によりその番組の映像の表示を指示可能とする。画像Ｃｄ２４は、緊急情報に関連するウェブページに係るコンテンツ情報を示し、操作によりそのウェブページの掲載情報の提示を指示可能とする。これらの関連コンテンツ情報は、情報提供装置１０のカード編成部１６２において、その他のコンテンツ情報よりも優先して選択されたものである。そのため、ユーザに対して緊急情報に関連する関連コンテンツの閲覧が促進される。
【００７７】
図１５に例示される緊急カード情報は、ユーザＩＤ、タイトルＩＤ、サービス種別、緊急レベル、有効開始時刻、有効終了時刻、メッセージおよび関連情報を含む。緊急レベルとして「３」が設定されている。メッセージには、緊急情報を示すテキスト情報「○○川が氾濫しています。  お住まいの地域から直ちに避難を介して下さい。」が記述されている。テキスト情報は、文字の大きさを指示する付加情報として、タグ「＜文字サイズ＝大＞…＜／文字サイズ＞」で囲まれ、それらのテキスト情報で表される文字列が、所定の標準の文字の大きさよりも大きく表示することが指示される。テキスト情報は、さらに画像の表示領域の大きさを指示する付加情報として、タグ「＜カードサイズ＝特大＞…＜／カードサイズ＞」で囲まれ、その表示領域内に配置されることが指示される。指示される大きさである「特大」は、「大」で指示される大きさよりも大きい所定のサイズ、例えば、４個のカードのそれぞれの表示領域をいずれも占有する大きさに相当する。
表示領域を示す。これらの付加情報は、カード生成部１６４が、緊急レベルに基づいて付加したものである。
関連情報として、緊急情報に関連するより詳細な詳細情報の提供手段を案内するためのメッセージ「この後スマートフォンでの詳しい災害情報はモバイルサービスでご覧ください」とその詳細情報の提供元のウェブサーバのＵＲＬ「ｈｔｔｐ：／／ｗｗｗ．ｘｘｘｘ．ｙｙｙｙ」が含まれる。関連情報は、情報提供装置１０のカード生成部１６４が、入力される緊急情報から抽出して、緊急通知情報に割り当てたものであってもよいし、カード生成部１６４が、予め自部に設定されたものから緊急通知情報に割り当てたものであってもよい。
【００７８】
図１９は、図１５に例示される緊急カード情報に基づく緊急情報を表す画像の表示例を示す図である。表示部５２６の表示領域は、コンテンツ表示領域Ｆｒ３１を含み、コンテンツ表示領域Ｆｒ３１には１個のカード型の画像Ｃｄ３１と３個のボタンＢｔ０１−Ｂｔ０３が表示されている。画像Ｃｄ３１は、緊急情報を表す画像である。画像Ｃｄ３１の表示領域の大きさは、４つのカード型の画像のそれぞれの表示領域を占める領域と、互いに隣接する画像間の間隙をそれぞれ含む大きさに相当する。画像Ｃｄ３１には、緊急通知情報のメッセージを表す文字列が、図１８に示す例よりも大きい文字で表される。そのため、ユーザは、より容易に緊急情報を察知することができる。また、表示部５２６の表示領域のうち、各種の画像などのコンテンツを表示するための予め設定された表示領域（以下、コンテンツ表示領域Ｆｒ３１）のうち、画像Ｃｄ３１の範囲外の領域には、関連情報のメッセージと所定の規格のバーコードが示される。このバーコードは、カード表示制御部５０６が、関連情報に記述された詳細情報の提供元のＵＲＬを所定の規則で変換して生成された画像である。撮影部、通信部および表示部を備える電子機器（図示せず）は、このバーコードを撮影し、撮影したバーコードをＵＲＬに逆変換し、逆変換により得られるＵＲＬで指示されるウェブサーバから詳細情報を要求し、ウェブサーバから受信した詳細情報を表示部に表示させることができる。この電子機器を所持する端末装置５０のユーザは、バーコードを撮影する操作を行うことで、緊急情報に関連する詳細情報に接することができる。バーコードの規格は、例えば、ＪＩＳ  Ｘ  ０５０２、ＪＩＳ  Ｘ  ０５０３などに規定された一次元コード、ＪＥＩＤＡ−５５、ＪＩＳ  Ｘ  ０５１０などに規定された二次元コード、などのいずれであってもよい。
【００７９】
図１６に例示される緊急カード情報は、ユーザＩＤ、タイトルＩＤ、サービス種別、緊急レベル、有効開始時刻、有効終了時刻、メッセージおよび関連情報を含む。緊急レベルとして「４」が設定されている。メッセージには、緊急情報を示すテキスト情報「緊急！！直ちに避難をしてください！！」が記述されている。テキスト情報は、文字の大きさを指示する付加情報として、タグ「＜文字サイズ＝極大＞…＜／文字サイズ＞」で囲まれ、それらのテキスト情報で表される文字列が、文字サイズ「大」で指示される大きさよりも大きい所定の大きさで表示することが指示される。テキスト情報は、さらに画像の表示領域の大きさを指示する付加情報として、タグ「＜カードサイズ＝全面＞…＜／カードサイズ＞」で囲まれ、その表示領域内に配置されることが指示される。指示される大きさである「全面」は、コンテンツ表示領域Ｆｒ４１の全体を示す。つまり、コンテンツ表示領域の一部を画定するカードを設定しないことが示される。関連情報として、図１５に例示される関連情報と同様の情報が含まれる。関連情報のメッセージには、文字サイズ「大」を示す付加情報が含まれている。これらの付加情報は、カード生成部１６４が、緊急レベルに基づいて付加したものである。カード表示制御部５０６は、生成する画像にコンテンツ表示領域Ｆｒ４１の外縁に枠線を付加して、表示部５２６に表示させてもよい。
【００８０】
図２０は、図１６に例示される緊急カード情報に基づく緊急情報を表す画像の表示例を示す図である。表示部５２６の表示領域のうちコンテンツ表示領域Ｆｒ４１が含まれ、コンテンツ表示領域Ｆｒ４１の範囲外に３個のボタンＢｔ０１−Ｂｔ０３が表示されている。コンテンツ表示領域Ｆｒ４１は、図１９に例示されるコンテンツ表示領域Ｆｒ３１と同等の領域であり、枠線でその領域が示されている。コンテンツ表示領域Ｆｒ４１には緊急通知情報のメッセージを表す文字列が、図１９に示す例よりも大きい文字で表される。そのため、ユーザは、さらに容易に緊急情報を察知することができる。また、コンテンツ表示領域Ｆｒ４１には、緊急通知情報のメッセージとは異なる領域に関連情報のメッセージと所定の規格のバーコードが示される。関連情報のメッセージは、図１９に示す例よりも大きい文字で表される。そのため、ユーザは、さらに詳細情報の取得が促される。
【００８１】
端末装置５０の起動制御部５１０は、カード取得部５０２に新たに緊急カード情報が記憶されるか否かを監視し、新たに記憶される緊急カード情報に含まれる緊急レベルを特定してもよい。起動制御部５１０は、その時点において端末装置５０の主機能部の動作が停止しており、特定した緊急レベルが所定の緊急レベル（例えば、緊急レベル「３」）以上であるとき、主機能部を起動させる。これにより、端末装置５０が動作を停止している場合であっても高い緊急レベルの緊急情報が通知される。起動対象とする機能部は、必ずしも主機能部の全部でなくでもよく、少なくとも緊急情報の通知に係る通知機能部が含まれていればよい。通知機能部として、カード表示制御部５０６、機能制御部５０８および表示部５２６が該当する。通知機能部には、さらに音声を再生するための再生部（図示せず）が含まれていてもよい。
起動制御部５１０は、再生部に起動を指示するとき、所定の警報音の再生を開始させてもよい。警報音は、例えば、サイレン音、ブザー音など受聴者にとり緊急事態の発生を認識させる音であればよい。警報音の再生の開始の原因となった緊急カード情報の有効期間を経過したとき、または、その緊急カード情報に係る緊急情報の緊急レベルが所定の緊急レベル未満に変更された場合には、起動制御部５１０は、再生部に警報音の再生を停止させる。
【００８２】
なお、図１３〜図２０に示す例では、カード表示制御部５０６は、緊急カード情報に付加された付加情報を参照して表示態様を特定し、特定した表示態様で緊急情報を示す画像を表示部５２６に表示させる場合を例にしたが、これには限られない。カード表示制御部５０６は、情報提供装置１０のカード生成部１６４と同様の手法で、緊急カード情報に含まれる緊急レベルが高いほど顕著になるように、付加情報を参照せずに独自に表示態様を定めてもよい。例えば、カード表示制御部５０６には、表示部５２６の表示領域の大きさに応じて、緊急レベルごとの緊急情報の表示領域の大きさと文字の大きさの一方または両方を予め設定しておく。カード表示制御部５０６は、予め設定された情報から、入力される緊急カード情報に含まれる緊急レベルに対応する表示領域の大きさと文字の大きさの一方または両方を選択すればよい。
【００８３】
以上に説明したように、本実施形態に係る情報提供装置１０は、コンテンツごとの属性を示すコンテンツ情報を取得する情報取得部（例えば、推薦対象コンテンツ情報蓄積部１４６、緊急情報取得部１４８）と、コンテンツ情報を参照して、提供可能とする推薦コンテンツを通知するコンテンツ通知情報を生成する通知情報生成部（例えば、カード生成部１６４）と、コンテンツ通知情報の出力を制御する出力制御部（例えば、カード編成部１６２）と、を備える電子機器である。情報提供装置１０において、情報取得部が緊急情報を取得するとき、出力制御部は、緊急情報を通知する緊急通知情報をコンテンツ通知情報よりも優先して端末装置５０に出力する。
また、本実施形態に係る端末装置５０は、情報提供装置１０から提供可能とする推薦コンテンツを通知するコンテンツ通知情報を取得する通知情報取得部（例えば、カード取得部５０２）と、コンテンツ通知情報に基づき推薦コンテンツの通知を制御する出力制御部（例えば、カード表示制御部５０６）と、を備える電子機器である。端末装置５０は、通知情報取得部が緊急情報を通知する緊急通知情報を取得するとき、出力制御部は、前記緊急情報を推薦コンテンツの通知よりも優先して出力する。
この構成により、提供可能とする推薦コンテンツを通知する電子機器において、緊急情報が取得されるとき、推薦コンテンツよりも優先して緊急情報が通知される。そのため、ユーザは、緊急情報で伝達される緊急事態に対する対応が促される。
【００８４】
情報提供装置１０において、通知情報生成部は緊急通知情報に緊急情報に付加された緊急レベルが高いほど、顕著な表示態様を示す付加情報を付加してもよい。
端末装置５０において、出力制御部は、緊急情報に付加された緊急レベルが高いほど、顕著な表示態様で緊急情報を表示部５２６に表示させる。
より顕著な表示態様とは、緊急レベルが高いほど、緊急情報の表示領域が大きいことであってもよいし、緊急情報を示す文字が大きいことであってもよい。
この構成により、ユーザは緊急レベルが高いほど容易に緊急情報に接することができ、緊急情報に対する対応が促される。
【００８５】
また、端末装置５０は、緊急情報に付加された緊急レベルが所定のレベル以上であって、出力制御部の動作が停止しているとき、出力制御部を起動させる起動制御部５１０を備えてもよい。
この構成により、出力制御部の動作が停止していても、緊急レベルが所定のレベルよりも高い場合には、緊急情報が通知される。そのため、ユーザには、より確実に緊急情報に伝達される。
【００８６】
また、端末装置５０は、緊急情報に付加された緊急レベルが所定のレベル以上であるとき、前記出力制御部は、再生部に警報音を出力させてもよい。
この構成により、緊急レベルが所定のレベルよりも高い場合には、警報音が再生される。そのため、ユーザには、より確実に緊急情報に伝達される。
【００８７】
また、緊急レベルの数は少なくとも３段階であり、緊急レベルが第１レベル（例えば、レベル１）または第１レベルよりも高い第２レベル（例えば、レベル２）であるとき、少なくとも１つの推薦コンテンツが通知されてもよいし、緊急レベルが第２レベルであるとき、提供可能とするコンテンツのうち緊急情報に関連する関連コンテンツの通知が優先されてもよい、緊急レベルが第２レベルよりも高い第３レベル（例えば、レベル３）以上であるとき、推薦コンテンツが通知されなくてもよい。
この構成により、緊急レベルが高いほど推薦コンテンツの通知が制限される、緊急情報に対するアクセスが促される。また、提供可能とするコンテンツが通知される場合であっても、緊急レベルが第２レベルである場合には、緊急情報に関連する関連コンテンツが優先して通知されるため、緊急情報以外にも関連コンテンツを通じた情報取得が可能となる。
【００８８】
また、緊急レベルが第３レベル以上であるとき、緊急情報に、緊急情報の詳細を示す詳細情報の提供元を示す詳細情報提供情報が含まれてもよい。
この構成により、ユーザは、表示領域が緊急情報で占有されていても、他の電子機器を用いて詳細情報提供情報で示される提供元から詳細情報を取得することができる。
【００８９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００９０】
上述の実施形態では、処理対象のコンテンツが主に番組およびＶＯＤコンテンツである場合を例にしたが、これには限られない。その他の種別のコンテンツが処理対象になってもよい。例えば、ネットワークＮＷを介して送受信可能な電子広告、その他の各種の案内情報が処理対象になってもよい。これらのコンテンツについても、有効期間外においてその情報の画像が表示部５２６に表示されず、有効期間内に表示される。
【００９１】
また、端末装置５０の検出部５２２と表示部５２６の一方または両方は、端末装置５０のその他の部分との間で各種のデータが送受信可能であれば、別体であってもよい。表示部５２６に表示される画像の形状は、カード型に限られない。その形状は、例えば、ボタン型、サムネイル型など、その他の形状であってもよい。また、それらの画像の数やサービス種別による内訳は、任意に設定可能である。
【００９２】
また、上述の実施形態において、ユーザＩＤに代えて個々の端末装置５０を識別する機器ＩＤが用いられてもよい。また、上述の実施形態では、情報提供装置１０および端末装置５０を構成する各部の処理が、個々の端末装置５０ごとに行われることを例にしたが、これには限られない。各部の処理は、各端末装置５０のユーザごとに行われてもよい。その場合、端末装置５０の検出部５２２は、個々のユーザを識別する。検出部５２２は、例えば、周囲の画像を撮影する撮影部と、撮影部が撮影した画像について公知の画像認識処理を行って画像に表されたユーザを識別する画像処理部を備える。
【００９３】
コンテンツごとの優先度もしくは優先順位は、コンテンツ情報の提供元である外部サーバ３０において予め定められ、その情報がコンテンツ情報に付加されていてもよい。また、各１個のコンテンツについて、優先度もしくは優先順位は、複数の端末装置５０間で共通であってもよい。それらの場合には、情報提供装置１０において、受信コンテンツ情報蓄積部１４２、視聴履歴蓄積部１４４およびユーザ嗜好情報生成部１５２が省略されてもよい。
【００９４】
また、緊急情報サーバ２０の個数は、１台に限られず、複数台になりうる。上述した外部サーバ３０が備える各構成は、任意の個数のコンピュータ装置に分散または集約して配置されてもよい。例えば、番組集積サーバ、ＶＯＤコンテンツ集積サーバ、ランキングサーバ、およびＶＯＤコンテンツサーバは、ネットワーク環境、ユーザ数の規模、情報提供システム１を構成するために用意されたハードウェアの数やスペック等に応じて、任意のコンピュータ装置に分散または集約して配置されてもよい。番組集積サーバ、ＶＯＤコンテンツ集積サーバ、ランキングサーバ、およびＶＯＤコンテンツサーバの一部の組または全部が一体化された独立したサーバ装置として構成されてもよいし、情報提供装置１０の一部として一体化されてもよい。
【００９５】
なお、情報提供装置１０、緊急情報サーバ２０、外部サーバ３０、上記のサーバ装置および端末装置５０は、それぞれコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
また、情報提供装置１０、緊急情報サーバ２０、外部サーバ３０、上記のサーバ装置および端末装置５０の一部または全部は、それぞれＬＳＩ（Ｌａｒｇｅ  Ｓｃａｌｅ  Ｉｎｔｅｇｒａｔｉｏｎ）等の集積回路として実現されてもよい。情報提供装置１０、緊急情報サーバ２０、外部サーバ３０、上記のサーバ装置および端末装置５０の一部の各機能ブロックは個別にプロセッサ化してもよいし、一部または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００９６】
１…情報提供システム、１０…情報提供装置、２０…緊急情報サーバ、３０…外部サーバ、５０…端末装置、１０２…プロセッサ、１０４…記憶媒体、１０６…ドライブ部、１０８…入力部、１１０…出力部、１１２…ＲＯＭ、１１４…ＲＡＭ、１１６…補助記憶部、１１８…インタフェース部、１４２…受信コンテンツ情報蓄積部、１４４…視聴履歴蓄積部、１４６…推薦対象コンテンツ情報蓄積部、１４８…緊急情報取得部、１５２…ユーザ嗜好情報生成部、１５４…ユーザ嗜好情報蓄積部、１５６…推薦コンテンツ決定部、１６２…カード編成部、１６４…カード生成部、１６６…カード蓄積部、１７２…通信部、５０２…カード取得部、５０６…カード表示制御部、５０８…機能制御部、５１０…起動制御部、５１２…選局機能部、５１４…予約機能部、５１６…通信コンテンツ機能部、５２２…検出部、５２４…入力部、５２６…表示部、５３２…通信部、５３４…放送受信部
【図１】
2020202468.tif 000003
【図２】
2020202468.tif 000004
【図３】
2020202468.tif 000005
【図４】
2020202468.tif 000006
【図５】
2020202468.tif 000007
【図６】
2020202468.tif 000008
【図７】
2020202468.tif 000009
【図８】
2020202468.tif 000010
【図９】
2020202468.tif 000011
【図１０】
2020202468.tif 000012
【図１１】
2020202468.tif 000013
【図１２】
2020202468.tif 000014
【図１３】
2020202468.tif 000015
【図１４】
2020202468.tif 000016
【図１５】
2020202468.tif 000017
【図１６】
2020202468.tif 000018
【図１７】
2020202468.tif 000019
【図１８】
2020202468.tif 000020
【図１９】
2020202468.tif 000021
【図２０】
2020202468.tif 000022